(57)【要約】【課題】待機状態における消費電力、発熱、騒音等をより低減することができる画像出力装置を提供する。【解決手段】入力された画像データを記録材料に記録して出力する画像出力装置１において、予め設定された設定時刻に起動信号を出力する時計回路１４と、主電源４０がオン状態か否かを判断する判断回路１５と、判断回路１５により主電源４０がオン状態でないと判断された場合に、時計回路１５に電力を供給する電源を蓄電池１７とするとともに、判断回路１５により主電源４０がオン状態であると判断された場合に、時計回路１４に電力を供給する電源を主電源４０とする切替回路１６と、時計回路１４からの起動信号の入力に基づいて主電源４０を起動する主電源起動制御部５０と、を備えた。【選択図】　図１
2004142224.tif 000002
【特許請求の範囲】
【請求項１】
画像データを記録材料に記録して出力する画像出力装置において、
予め設定された設定時刻となったときに起動信号を出力する時計回路と、
主電源がオン状態か否かを判断する判断部と、
前記判断部により前記主電源がオン状態でないと判断された場合に、前記時計回路に電力を供給する電源を補助電源にするとともに、前記判断部により前記主電源がオン状態であると判断された場合に、前記時計回路に電力を供給する電源を前記主電源にする切替部と、
前記時計回路からの起動信号の入力に基づいて前記主電源を起動する主電源起動制御部と、
を備えたことを特徴とする画像出力装置。
【請求項２】
請求項１記載の画像出力装置において、
前記判断部は、前記主電源からの出力電圧が、予め設定された所定値を下回ったときに前記主電源がオン状態でないと判断するとともに、前記主電源からの出力電圧が、予め設定された所定値を上回ったときに前記主電源がオン状態であると判断するように構成されていることを特徴とする請求項１記載の画像出力装置。
【請求項３】
請求項１又は２に記載の画像出力装置において、
前記主電源起動制御部は、
前記主電源がオン状態の時に当該主電源によって予め充電されたコンデンサと、
前記時計回路からの起動信号の入力に基づいて、前記コンデンサから供給される電力によって前記主電源を起動するリレー駆動回路と、
を備えたことを特徴とする請求項１又は２の何れか一項に記載の画像出力装置。
【請求項４】
請求項１〜３の何れか一項に記載の画像出力装置において、
前記設定時刻を設定するための操作部と、
前記操作部により設定された設定時刻を前記時計回路に設定する時刻設定制御部と、
を備えたことを特徴とする画像出力装置。
【請求項５】
請求項４記載の画像出力装置において、
前記時計回路は、複数の設定時刻を設定可能に構成されていることを特徴とする画像出力装置。
【発明の詳細な説明】
【０００１】
【発明の属する技術分野】
本発明は、画像データを記録材料に記録させて出力する画像出力装置に関する。
【０００２】
【従来の技術】
従来、複写機やプリンタ等の画像出力装置の他、例えば、Ｘ線等の放射線を利用したＸ線撮影装置、ＲＩ（Ｒａｄｉｏ　Ｉｓｏｔｏｐｅ）装置、ＣＲ（Ｃｏｍｐｕｔｅｄ　Ｒａｄｉｏｇｒａｐｈｙ）装置、ＣＴ（Ｃｏｍｐｕｔｅｄ　Ｔｏｍｏｇｒａｐｈｙ）装置、超音波を利用した超音波撮影装置、磁気を利用したＭＲＩ（Ｍａｇｎｅｔｉｃ　Ｒｅｓｏｎａｎｃｅ　Ｉｍａｇｉｎｇ）装置等の各種の画像記録装置によって撮影して得られた被写体の画像データに基づき、被写体の画像を記録材料に可視像として出力させる画像出力装置が知られている（例えば、特許文献１参照）。
【０００３】
このような画像出力装置においては、時計回路を備え、当該装置を待機状態からオン状態にする時刻を設定し、時計回路から出力された時刻が設定時刻になった場合に自動的に電源を起動する制御を行うタイマー機能を備えたものも知られている（例えば、特許文献２参照）。
【０００４】
【特許文献１】
特開平１０−１９１１６５号公報
【特許文献２】
特開平８−１３７３４３号公報
【０００５】
【発明が解決しようとする課題】
しかしながら、タイマー機能を備えた画像出力装置の場合、待機状態においても時計回路を動作させなければならないので、主電源から電力が時計回路に供給される。主電源は時計回路が接続された基板を含む他の電気部品等とも接続されているので、主電源から時計回路に電力が供給されると、同時に他の電気部品にも通電される。従って、待機状態といえども、有る程度の電力が消費され、装置の発熱及び騒音等の問題も生じる。
【０００６】
本発明の課題は、待機状態における消費電力、発熱、騒音等をより低減することができる画像出力装置を提供することである。
【０００７】
【課題を解決するための手段】
上記課題を解決するため、
請求項１記載の発明は、入力された画像データを記録材料に記録して出力する画像出力装置において、
予め設定された設定時刻に起動信号を出力する時計回路と、
主電源がオン状態か否かを判断する判断部と、
前記判断部により前記主電源がオン状態でないと判断された場合に、前記時計回路に電力を供給する電源を補助電源とするとともに、前記判断部により前記主電源がオン状態であると判断された場合に、前記時計回路に電力を供給する電源を前記主電源とする切替部と、
前記時計回路からの起動信号の入力に基づいて前記主電源を起動する主電源起動制御部と、
を備えたことを特徴とする。
【０００８】
請求項１記載の発明によれば、判断部により、主電源がオン状態でないと判断された場合には、時計回路に電力を供給する電源が主電源から補助電源に切り替わり、時計回路からの起動信号の入力に基づいて主電源が起動にされるので、タイマーセット時の待機状態において主電源を常に通電させておく必要がなくなることとなって、待機状態における消費電力、発熱、騒音等をより軽減することができる。
即ち、補助電源は、時計回路のみを駆動すれば足りるので、例えば、ボタン電池等の小型で小電力の電源を使用することができることとなって、タイマーセット時の待機状態における電力源は本装置設置先の設備電源を使用することなく実現可能となり、大幅に消費電力を低減させることができる。
【０００９】
請求項２記載の発明は、請求項１記載の画像出力装置において、
前記判断部は、主電源からの出力電圧が、予め設定された所定値を下回ったときに前記主電源がオン状態でないと判断するとともに、主電源からの出力電圧が、予め設定された所定値を上回ったときに前記主電源がオン状態であると判断するように構成されていることを特徴とする。
【００１０】
請求項２記載の発明によれば、請求項１に記載の発明と同様の効果が得られることは無論のこと、特に、判断部は、主電源からの出力電圧が、予め設定された所定値を下回ったときに主電源がオン状態でないと判断するとともに、主電源からの出力電圧が、予め設定された所定値を上回ったときに主電源がオン状態であると判断するように構成されているので、待機状態の判断を明確に行うことができる。
【００１１】
請求項３記載の発明は、請求項１又は２に記載の画像出力装置において、
前記主電源駆動制御部は、
前記主電源がオン状態の時の当該主電源により予め充電されたコンデンサと、前記時計回路からの起動信号の入力に基づいて、前記コンデンサから供給される電力によって前記主電源を起動するリレー駆動回路と、
を備えたことを特徴とする。
【００１２】
請求項３記載の発明によれば、請求項１又は２の何れか一項に記載の発明と同様の効果が得られることは無論のこと、特に、時計回路からの起動信号の入力により、画像出力装置が動作状態の時に主電源により予め充電されたコンデンサから電力がリレー駆動回路に供給され、電力供給されたリレー駆動回路よって主電源が起動されるので、電源がなくても主電源起動制御部を確実に動作させることができる。
【００１３】
請求項４記載の発明は、請求項１〜３の何れか一項に記載の画像出力装置において、
前記設定時刻を設定するための操作部と、
前記操作部により設定された設定時刻を前記時計回路に設定する時刻設定制御部と、
を備えたことを特徴とする。
【００１４】
請求項４記載の発明によれば、請求項１〜３の何れか一項に記載の発明と同様の効果が得られることは無論のこと、特に、操作部により設定された設定時刻が、時刻設定制御部により時計回路に設定されるので、任意の時刻に設定することができる。
【００１５】
請求項５記載の発明は、請求項４記載の画像出力装置において、
前記時計回路は、複数の設定時刻を設定可能に構成されていることを特徴とする。
【００１６】
請求項５記載の発明によれば、請求項４に記載の発明と同様の効果が得られることは無論のこと、特に、時計回路は複数の設定時刻を設定可能に構成されているので、ユーザにとって使いやすいものとなる。
【００１７】
【発明の実施の形態】
以下、図を参照して本発明の実施の形態を詳細に説明する。
【００１８】
図１は、本発明にかかる画像出力装置の主要構成を示すブロック図である。
図１に示す画像出力装置１は、例えば、画像データを撮像して記録する画像記録装置（図示省略）から通信ネットワークを介して入力した画像データをフィルムに記録して出力する装置である。
【００１９】
画像出力装置１は、画像出力装置１を統括制御し、各種処理および判断等を行う制御部１０を備えている。制御部１０は、更に、ＣＰＵ（Ｃｅｎｔｒａｌ　ＰｒｏｃｅｓｓｉｎｇＵｎｉｔ）１１、ＲＡＭ（Ｒａｎｄｏｍ　Ａｃｃｅｓｓ　　Ｍｅｍｏｒｙ）１３、ＲＯＭ（Ｒｅａｄ　Ｏｎｌｙ　Ｍｅｍｏｒｙ）１２、時計回路１４、判断回路１５、蓄電池１６、切替回路１７、Ｉ／Ｏポート１８などがバス１９を介して接続されている。
また、この制御部１０には、Ｉ／Ｏポート１８を介して操作部２０、表示部３０が接続され、切替回路１７には、主電源４０が接続されている。
【００２０】
ＣＰＵ１１は、ＲＯＭ１２に格納された各種プログラムやデータをＲＡＭ１３に格納するとともに、ＲＡＭ１３を作業領域として各種プログラムやデータによる処理を実行する。
そして、ＣＰＵ１１は、時刻設定制御部として、操作部２０により入力された設定時刻データをＲＡＭ１３に格納する制御を行うとともに、ＲＡＭ１３に格納した設定時刻データにより、時計回路１４内に当該設定時刻を設定する。
【００２１】
ＲＯＭ１２には、当該画像出力装置１の各部の動作に関する各種制御プログラムや制御データなどが書き込まれている。
【００２２】
ＲＡＭ１３は、画像形成される画像データ等の各種データを記録する記録領域１３ａとＣＰＵによる作業領域１３ｂなどが備えられている。そして、記録領域１３ａには、操作部２０により入力された一乃至複数の設定時刻データが記録されている。
【００２３】
時計回路１４は、図示しない発振回路を備え、発振回路から出力される一定周波数のクロック信号を計数して、現在時刻データ等を得る。また、時計回路１４は、現在時刻データに基づいて、予め設定された設定時刻になったか否かを判断して、現在時刻が設定時刻となった場合には、起動信号を出力する。また、この時計回路１４には、複数の設定時刻が設定可能となっており、予め、操作部２０により入力され、ＲＡＭ１３に記憶された設定時刻データが内部に設定されている。
【００２４】
判断回路１５は、判断部として、主電源４０がオン状態か否かを判断する。より具体的には、判断回路１５は、主電源４０に接続され、主電源４０から供給される電力の出力電圧を検出する。そして、判断回路１５は、主電源４０からの出力電圧が、予め設定された所定値を下回ったときに主電源４０がオン状態でない、即ち、主電源４０がオフされたと判断するとともに、主電源４０からの出力電圧が、予め設定された所定値を上回ったときに主電源４０がオン状態であると判断する。
【００２５】
蓄電池１６は、補助電源として、主電源がオフ時における時計回路１４への電源供給を行う。この蓄電池１６は、例えば、ボタン電池、乾電池などにより構成されるが、主電源４０がオン状態時に当該主電源４０により充電可能な電池であってもよい。
【００２６】
切替回路１７は、判断回路１５により主電源４０がオン状態でないと判断された場合に、時計回路１４に出力される電源を蓄電池１７とするとともに、判断回路１５により主電源４０がオン状態であると判断された場合に、時計回路１４に出力される電源を主電源４０とする。つまり、この切替回路１７により、主電源４０がオン状態でないときは、時計回路１４への電源供給が主電源４０からではなく、蓄電池１７からとなるように切り替えることができ、一方、主電源４０がオン状態のときは、時計回路１４への電源供給が主電源４０からとなるように切り替えることができる。
Ｉ／Ｏポート１８は、制御部１０と、操作部２０や表示部３０等の各種周辺機器とを接続するための入出力インターフェイスである。
【００２７】
操作部２０は、画像出力装置１の設定や運転動作指示を入力するように構成されたものであり、例えば、キー入力部、リモコン等である。この操作部を用いたキー操作により、設定時刻等を設定する。
表示部３０は、例えば、ＬＣＤ（Ｌｉｑｕｉｄ　Ｃｒｙｓｔａｌ　Ｄｉｓｐｌａｙ）などにより構成され、その表示画面に画像出力装置１の設定、機能、運転状態等を表示する。
なお、操作部２０が、タッチパネルである場合、表示部３０は操作部２０の機能を兼ね備える構成となる。
【００２８】
主電源４０は、ＡＣコンセントからの交流電源を直流電源に整流して、かかる直流電源を当該画像出力装置１の各部に供給する。また、主電源４０は、主電源４０がオフ状態のときに、時計回路１４からの起動信号の入力に基づいて、主電源４０を起動させる主電源起動制御部５０に接続されている。
主電源起動制御部５０は、主電源４０がオン状態時に主電源４０により予め充電されたコンデンサ５１と、時計回路１４からの起動信号の入力により、コンデンサ５１から供給される電源により主電源４０を起動するリレー駆動回路５２と、を備えている。
【００２９】
次に、以上のように構成された画像出力装置１におけるタイマー起動処理について、図２のフローチャートを用いて説明する。
図２に示すように、まず、判断回路１５は、主電源４０から供給される電力の出力電圧を検出し、検出した出力電圧が所定の基準値を下回ったか否かを判断し（ステップＳ１）、出力電圧が基準値を下回っていないと判断した場合（ステップＳ１；Ｎｏ）、同ステップを繰り返して行う。そして、判断回路１５は、出力電圧が基準値を下回ったと判断した場合（ステップＳ１；Ｙｅｓ）、かかる判断信号を切替回路１５に出力する。
【００３０】
次いで、切替回路１５は、時計回路１４への電源供給を主電源４０から蓄電池１８へ切り替える（ステップＳ２）。
次いで、この状態で、時計回路１４は、クロック信号を計時して算出した現在時刻データに基づいて、現在時刻が予め設定された設定時刻になったか否かを判断して（ステップＳ３）、現在時刻が設定時刻となっていないと判断した場合（ステップＳ３；Ｎｏ）、同ステップを繰り返して行う。そして、時計回路１４は、現在時刻が設定時刻となったと判断した場合（ステップＳ３；Ｙｅｓ）には、起動信号を主電源起動制御部５０に出力する（ステップＳ４）。
次いで、主電源起動制御部５０は、時計回路１４からの起動信号の入力により、主電源４０がオン状態時に主電源４０により予め充電されたコンデンサ５１から供給される電源によりリレー駆動回路５２を駆動させ、主電源４０を起動させる（ステップＳ５）。そして、判断回路１５が主電源４０の出力電圧が再び所定値を上回ったと判断すると（ステップＳ６；Ｙｅｓ）、切替回路１６は、時計回路１４への電源供給を蓄電池１７から主電源４０に切り替え（ステップＳ７）、再び、ステップＳ１に戻る。
【００３１】
以上説明した本発明の実施の形態に係る画像出力装置によれば、判断回路１５により、主電源４０がオン状態でないと判断された場合には、時計回路１４に電力を供給する電源が主電源４０から蓄電池１７に切り替わり、時計回路１４からの起動信号の入力に基づいて主電源４０が起動にされるので、タイマーセット時の待機状態において主電源４０を常に通電させておく必要がなくなることとなって、待機状態における消費電力、発熱、騒音等をより軽減することができる。
つまり、蓄電池１７は、時計回路１４のみを駆動すれば足りるので、例えば、ボタン電池等の小型で小電力の電源を使用することができることとなって、タイマーセット時の待機状態は、設置先の設備電源を使用することがなく、消費電力を大幅に低減させることができる。
【００３２】
また、判断回路１５は、主電源４０からの出力電圧が、予め設定された所定値を下回ったときに主電源４０がオン状態でないと判断するとともに、主電源４０からの出力電圧が、予め設定された所定値を上回ったときに主電源４０がオン状態であると判断するように構成されているので、待機状態の判断を明確に行うことができる。
また、時計回路１４からの起動信号の入力により、画像出力装置１が動作状態の時に主電源４０により予め充電されたコンデンサ５１から電力がリレー駆動回路５２に供給され、電力供給されたリレー駆動回路５２よって主電源４０が起動されるので、電源がなくても主電源起動制御部５０を確実に動作させることができる。
【００３３】
また、操作部２０により設定された設定時刻が、時刻設定制御部５０により時計回路１４に設定されるので、任意の時刻に設定することができる。
また、時計回路１４は複数の設定時刻を設定可能に構成されているので、ユーザにとって使いやすいものとなる。
【００３４】
なお、本発明に係る画像出力装置は、上記した実施の形態にかかるものに限るものではなく、本発明の目的及び効果を奏する範囲内での変更は可能である。
例えば、時計回路１４に設定される設定時刻は、予め設定されていてもいいし、或いは操作部２０により入力したものであってもよい。
【００３５】
【発明の効果】
請求項１記載の発明によれば、判断部により、主電源がオン状態でないと判断された場合には、時計回路に出力される電源が主電源から補助電源に切り替わり、時計回路からの起動信号の入力に基づいて主電源が起動にされるので、タイマーセット時の待機状態において主電源を常に通電させておく必要がなくなることとなって、待機状態における消費電力、発熱、騒音等をより軽減することができる。
即ち、補助電源は、時計回路のみを駆動すれば足りるので、例えば、ボタン電池等の小型で小電力の電源を使用することができることとなって、タイマーセット時の待機状態は設置先の設備電源を使用することがなく、消費電力を大幅に低減させることができる。
【００３６】
請求項２記載の発明によれば、請求項１に記載の発明と同様の効果が得られることは無論のこと、特に、判断部は、主電源からの出力電圧が、予め設定された所定値を下回ったときに主電源がオン状態でないと判断するとともに、主電源からの出力電圧が、予め設定された所定値を上回ったときに主電源がオン状態であると判断するように構成されているので、待機状態の判断を明確に行うことができる。
【００３７】
請求項３記載の発明によれば、請求項１又は２の何れか一項に記載の発明と同様の効果が得られることは無論のこと、特に、時計回路からの起動信号の入力により、画像出力装置が動作状態の時に主電源により予め充電されたコンデンサから電力がリレー駆動回路に供給され、電力供給されたリレー駆動回路よって主電源が起動されるので、電源がなくても主電源起動制御部を確実に動作させることができる。
【００３８】
請求項４記載の発明によれば、請求項１〜３の何れか一項に記載の発明と同様の効果が得られることは無論のこと、特に、操作部により設定された設定時刻が、時刻設定制御部により時計回路に設定されるので、任意の時刻に設定することができる。
【００３９】
請求項５記載の発明によれば、請求項４に記載の発明と同様の効果が得られることは無論のこと、特に、時計回路は複数の設定時刻を設定可能に構成されているので、ユーザにとって使いやすいものとなる。
【図面の簡単な説明】
【図１】本発明にかかる画像記録装置の要部構成を示すブロック図である。
【図２】本発明にかかるタイマー処理を説明するためのフローチャートである。
【符号の説明】
１　　画像出力装置
１０　　制御部
１１　　ＣＰＵ
１２　　ＲＯＭ
１３　　ＲＡＭ
１４　　時計回路
１５　　判断回路（判断部）
１６　　切替回路（切替部）
１７　　蓄電池（補助電源）
２０　　操作部
４０　　主電源
５０　　主電源起動制御部
５１　　コンデンサ
５２　　リレー駆動回路
【図１】
2004142224.tif 000003
【図２】
2004142224.tif 000004